(57)【要約】【課題】低負荷符号化圧縮技術を用いて、携帯端末を対象とするＳＮＳのための携帯端末用動画像転送システムを提供する。【解決手段】携帯端末用動画像転送システムは、受信した動画像データを低負荷符号化技術によって圧縮するエンコーダを有するサーバ及び圧縮した動画像データを記憶するストレージを備えたポータルサイトと、ポータルサイトにアクセスし圧縮した動画像データをダウンロードすることが可能であり、ダウンロードした圧縮動画像データを復号可能なデコーダを有する受信側携帯端末とを備えている。【選択図】図２
2008219224.tif 000002
【特許請求の範囲】
【請求項１】
受信した動画像データを低負荷符号化技術によって圧縮するエンコーダを有するサーバ及び該圧縮した動画像データを記憶するストレージを備えたポータルサイトと、該ポータルサイトにアクセスし前記圧縮した動画像データをダウンロードすることが可能であり、該ダウンロードした圧縮動画像データを復号可能なデコーダを有する受信側携帯端末とを備えていることを特徴とする携帯端末用動画像転送システム。
【請求項２】
前記ポータルサイトにアクセス可能であり、該ポータルサイトに動画像データをアップロード可能な送信側端末をさらに備えていることを特徴とする請求項１に記載の携帯端末用動画像転送システム。
【請求項３】
前記送信側端末が、前記ポータルサイトの発行したアカウントを有する個人ユーザの携帯端末であることを特徴とする請求項２に記載の携帯端末用動画像転送システム。
【請求項４】
前記送信側端末が、前記ポータルサイトの発行したアカウントを有する個人ユーザのコンピュータ端末であることを特徴とする請求項２に記載の携帯端末用動画像転送システム。
【請求項５】
前記送信側端末が、前記ポータルサイトの発行したアカウントを有する法人ユーザの端末であることを特徴とする請求項２に記載の携帯端末用動画像転送システム。
【請求項６】
前記ポータルサイトが、特定の個人ユーザ宛の圧縮動画像データを記憶するプライベート用ストレージと、不特定多数のユーザに公開可能とする圧縮動画像データを記憶するパブリック用ストレージとをさらに備えていることを特徴とする請求項１から５のいずれか１項に記載の携帯端末用動画像転送システム。
【請求項７】
前記ポータルサイトが、不特定多数のユーザに公開可能とする、法人ユーザからの圧縮動画像データを記憶する法人用ストレージをさらに備えていることを特徴とする請求項１から６のいずれか１項に記載の携帯端末用動画像転送システム。
【請求項８】
前記ポータルサイトが、不特定多数のユーザに公開可能とする、個人ユーザからの圧縮動画像データについて、著作権侵害の可能性の有無を判定する手段をさらに備えており、著作権侵害の可能性有りと判定された場合には該当する圧縮動画像データを破棄するように構成されていることを特徴とする請求項１から７のいずれか１項に記載の携帯端末用動画像転送システム。
【請求項９】
前記ポータルサイトが、前記ストレージ内に記憶された圧縮動画像データを一定期間後に消去する手段をさらに備えていることを特徴とする請求項１から８のいずれか１項に記載の携帯端末用動画像転送システム。
【請求項１０】
前記サーバの前記エンコーダが、基準画像に連続する画像における所定画素サイズのブロックに最も類似する前記基準画像における同一画素サイズの領域を検索する手段と、該検索した領域と前記ブロックとの類似性が所定の基準値に対応するか否かを判定する手段と、該類似性が所定の基準値に対応する場合に該領域と前記ブロックとの距離を表す動きベクトルを保存する手段と、前記類似性が所定の基準値に対応せずかつ前記ブロックが所定の最小サイズではない場合は前記ブロックを分割し、分割したブロックについて前記検索、判定及び保存を行う手段と、前記類似性が所定の基準値に対応せずかつ前記ブロックが所定の最小サイズである場合は前記基準画像を参照しない符号化方法により該ブロックを圧縮する手段とを備えていることを特徴とする請求項１から９のいずれか１項に記載の携帯端末用動画像転送システム。
【請求項１１】
前記受信側携帯端末の前記デコーダが、基準画像に連続する画像における復号すべきブロックが分割して圧縮されたブロックであるか否かを判定する手段と、該復号すべきブロックが分割して圧縮されたブロックではなくかつ所定の最小サイズではない場合は、動きベクトルを読み取り、前記基準画像における前記動きベクトルによって規定される同一サイズのブロックを複写することによりブロックの復号を行う手段と、前記復号すべきブロックが分割して圧縮されたブロックではなくかつ所定の最小サイズである場合は前記基準画像を参照しない復号方法により該ブロックを復号する手段と、前記復号すべきブロックが分割して圧縮されたブロックである場合は、該分割して圧縮されたブロックについて前記判定及び復号を行う手段とを備えていることを特徴とする請求項１から１０のいずれか１項に記載の携帯端末用動画像転送システム。
【発明の詳細な説明】
【技術分野】
【０００１】
本発明は、携帯端末が適応可能なソーシャルネットワーキングサービス（ＳＮＳ）を提供するための携帯端末用動画像転送システムに関する。
【背景技術】
【０００２】
現在、ＳＮＳの一環として行われているコンテンツホルダ等からの動画像や音声のダウンロードサービスは、ユーザのコンピュータ端末を対象としている。携帯電話や携帯機器等の携帯端末に対しては、回線のビットレートが低いこと、携帯端末の記憶容量が小さいこと、携帯端末上で動画像データの複雑な復号処理を行うことが難しいこと等から、この種のダウンロードサービスは行われていなかった。
【０００３】
本出願人は、小型ゲーム機や携帯電話等の携帯端末に最適な動画像符号化圧縮方式として、従来のＭＰＥＧ方式のようなフレーム間差分符号化や動き補償を行わず従って高機能ではあるが低負荷の符号化圧縮技術について既に提案している（特許文献１）。
【０００４】
【特許文献１】国際公開第２００４／０７０６５１号公報
【発明の開示】
【発明が解決しようとする課題】
【０００５】
本発明は、この低負荷符号化圧縮技術を用いて、携帯端末を対象とするＳＮＳのための携帯端末用動画像転送システムを提供することを目的としている。
【課題を解決するための手段】
【０００６】
本発明によれば、受信した動画像データを低負荷符号化技術によって圧縮するエンコーダを有するサーバ及び圧縮した動画像データを記憶するストレージを備えたポータルサイトと、ポータルサイトにアクセスし圧縮した動画像データをダウンロードすることが可能であり、ダウンロードした圧縮動画像データを復号可能なデコーダを有する受信側携帯端末とを備えている携帯端末用動画像転送システムが提供される。
【０００７】
ポータルサイト側に、低負荷符号化技術によって動画像データを圧縮するエンコーダと、圧縮した動画像データを格納しておくストレージとを設け、一方、携帯端末側にこの低負荷符号化技術によって圧縮された動画像データを復号可能とするデコーダを設けるように構成している。これにより、ポータルサイトから携帯端末への動画像のダウンロードサービスやポータルサイトを介する携帯端末への動画像の転送サービスが可能となる。
【０００８】
ポータルサイトにアクセス可能であり、ポータルサイトに動画像データをアップロード可能な送信側端末をさらに備えていることが好ましい。
【０００９】
送信側端末が、ポータルサイトの発行したアカウントを有する個人ユーザの携帯端末であることも好ましい。
【００１０】
送信側端末が、ポータルサイトの発行したアカウントを有する個人ユーザのコンピュータ端末であることも好ましい。
【００１１】
送信側端末が、ポータルサイトの発行したアカウントを有する法人ユーザの端末であることも好ましい。
【００１２】
ポータルサイトが、特定の個人ユーザ宛の圧縮動画像データを記憶するプライベート用ストレージと、不特定多数のユーザに公開可能とする圧縮動画像データを記憶するパブリック用ストレージとをさらに備えていることも好ましい。
【００１３】
ポータルサイトが、不特定多数のユーザに公開可能とする、法人ユーザからの圧縮動画像データを記憶する法人用ストレージをさらに備えていることも好ましい。
【００１４】
ポータルサイトが、不特定多数のユーザに公開可能とする、個人ユーザからの圧縮動画像データについて、著作権侵害の可能性の有無を判定する手段をさらに備えており、著作権侵害の可能性有りと判定された場合には該当する圧縮動画像データを破棄するように構成されていることが好ましい。
【００１５】
ポータルサイトが、ストレージ内に記憶された圧縮動画像データを一定期間後に消去する手段をさらに備えていることも好ましい。
【００１６】
サーバの前述したエンコーダが、基準画像に連続する画像における所定画素サイズのブロックに最も類似する前記基準画像における同一画素サイズの領域を検索する手段と、検索した領域とこのブロックとの類似性が所定の基準値に対応するか否かを判定する手段と、類似性が所定の基準値に対応する場合にこの領域とブロックとの距離を表す動きベクトルを保存する手段と、類似性が所定の基準値に対応せずかつブロックが所定の最小サイズではない場合はブロックを分割し、分割したブロックについて検索、判定及び保存を行う手段と、類似性が所定の基準値に対応せずかつブロックが所定の最小サイズである場合は基準画像を参照しない符号化方法によりブロックを圧縮する手段とを備えていることが好ましい。
【００１７】
受信側携帯端末の前述したデコーダが、基準画像に連続する画像における復号すべきブロックが分割して圧縮されたブロックであるか否かを判定する手段と、復号すべきブロックが分割して圧縮されたブロックではなくかつ所定の最小サイズではない場合は、動きベクトルを読み取り、基準画像における動きベクトルによって規定される同一サイズのブロックを複写することによりブロックの復号を行う手段と、復号すべきブロックが分割して圧縮されたブロックではなくかつ所定の最小サイズである場合は基準画像を参照しない復号方法によりこのブロックを復号する手段と、復号すべきブロックが分割して圧縮されたブロックである場合は、分割して圧縮されたブロックについて判定及び復号を行う手段とを備えていることが好ましい。
【発明の効果】
【００１８】
本発明によれば、ポータルサイトから携帯端末への動画像のダウンロードサービスやポータルサイトを介する携帯端末への動画像の転送サービスが可能となる。
【発明を実施するための最良の形態】
【００１９】
図１は本発明の一実施形態として、ＳＮＳを行うための携帯端末用動画像転送システムの構成を概略的に示す図であり、図２は図１の携帯端末用動画像転送システムにおける全体的な動作を説明するフロー図である。
【００２０】
図１において、１０はポータルサイト、１１はポータルサイト１０とアカウント契約をする又は既にしており、動画像データのアップロードを行う個人ユーザの携帯端末又はコンピュータ端末、１２はポータルサイト１０と法人用アカウント契約をする又は既にしている法人ユーザのコンピュータ端末、１３はＳＮＳ利用の契約をする又は既にしており、動画像データのダウンロードを行う個人ユーザ（受信者）の携帯端末をそれぞれ示している。
【００２１】
ポータルサイト１０には、通常の機能要素に加えて、受信した動画像データを低負荷符号化技術によって圧縮するエンコーダ（モビクリップエンコーダ）を有するサーバ１０ａと、プライベート用ストレージ１０ｂと、パブリック用ストレージ１０ｃと、法人用ストレージ１０ｄとが付加的に備えられている。
【００２２】
図２に示すように、個人ユーザの携帯端末又はコンピュータ端末１１は、まず、ポータルサイト１０にアクセスして接続し（ステップＳ１）、動画像（音声を含む）データのアップロードを可能にするアカウント契約を結び（ステップＳ２）、これにより個人アカウント（例えば、△△△＠ｍｏｂｉｃｌｉｐ．ｊｐ）を取得する（ステップＳ３）。
【００２３】
次いで、個人ユーザの携帯端末又はコンピュータ端末１１は例えば撮影した動画像（音声を含む）をアップロードする形式を選択してポータルサイト１０へ通知する（ステップＳ４）、その動画像を特定のユーザのみに転送するプライベート形式でアップロードする場合は、動画像データに送付先のアドレス、具体的には送付する携帯端末のメールアドレス、を添付してポータルサイト１０へアップロードする（ステップＳ５）。その動画像を不特定多数のユーザがダウンロード可能であるパブリック形式でアップロードする場合は、ポータルサイト１０が設定したカテゴリリストからその動画像に対応するカテゴリを選択した後、動画像データをポータルサイト１０へアップロードする（ステップＳ６）。
【００２４】
ポータルサイト１０側では、アップロードされた動画像データをサーバ１０ａのモビクリップエンコーダによって圧縮する（ステップＳ７）。モビクリップエンコーダにおけるこの低負荷符号化技術については、後に詳しく説明する。
【００２５】
圧縮された動画像データがプライベート形式のものである場合は、これをプライベート用ストレージ１０ｂに記憶する（ステップＳ８）。この場合、その動画像データの送付先のアドレスへ動画像データが到着している旨のメールが出される。
【００２６】
圧縮された動画像データがパブリック形式のものである場合は、ポータルサイト１０は、その動画像データが著作権を侵害する可能性が有るか無いかを判定し、著作権侵害の可能性有りと判定した場合はその圧縮された動画像データを破棄する（ステップＳ９）。著作権侵害の可能性無しと判定した場合は、その圧縮された動画像データをカテゴリ毎に分けてパブリック用ストレージ１０ｃに記憶する（ステップＳ１０）。
【００２７】
一方、例えばコンテンツホルダ等である法人ユーザのコンピュータ端末１２は、ポータルサイト１０と法人用のアカウント契約を取得しておき（ステップＳ１１）、基本的には法人ユーザの意向によって決まるパブリック向けの動画像又は音声コンテンツ、例えばＣＭ、プロモーション用音楽ビデオクリップ、映画の予告編等の動画像又は音声データをアップロードしておく。アップロードされた動画像データはサーバ１０ａのモビクリップエンコーダによって圧縮され（ステップＳ７）、法人用ストレージ１０ｄに記憶される（ステップＳ１２）。
【００２８】
個人ユーザ（受信者）の携帯端末１３は、ポータルサイト１０からの動画像データが到着している旨のメールを受信する（ステップＳ１３）。これにより受信者がそのメールをクリックすると、ポータルサイト１０にアクセスがなされ、プライベート用ストレージ１０ｂに記憶されているこの受信者宛の圧縮された動画像データがダウンロードされる（ステップＳ１４）。ダウンロードされた圧縮動画像データは、その携帯端末１３に内蔵されている低負荷符号化技術で符号化されたデータを復号するデコーダ（モビクリップデコーダ）によって復号され、視聴可能となる。モビクリップデコーダにおける復号技術についても後に詳しく説明する。
【００２９】
ＳＮＳ契約を行っている個人ユーザがポータルサイト１０のパブリック又は法人の動画像を視聴したい場合、携帯端末１３からポータルサイト１０にアクセスし、所望のカテゴリを選択すると、パブリック用ストレージ１０ｃ又は法人用ストレージ１０ｄに記憶されている圧縮動画像データがダウンロードされる（ステップＳ１５）。ダウンロードされた圧縮動画像データは、携帯電話サービス業者（キャリア）等によってその携帯端末１３にあらかじめ組み込まれているモビクリップデコーダによって復号され、視聴可能となる。
【００３０】
なお、ポータルサイト１０は、プライベート用ストレージ１０ｂに記憶されている圧縮動画像データを受信者がダウンロードしてから一定期間後に消去する（ステップＳ１６）。また、パブリック用ストレージ１０ｃに記憶されている圧縮動画像データをアップロードしてから一定期間後に消去する（ステップＳ１７）。
【００３１】
図３は個人ユーザの端末１１からアップロードされた動画像データのポータルサイト１０における処理動作をより詳しく説明するフロー図である。
【００３２】
まず、個人ユーザの携帯端末又はコンピュータ端末１１からアップロードされた動画像データを受信し（ステップＳ２０）、この動画像データをモビクリップエンコーダへ転送する（ステップＳ２１）。
【００３３】
モビクリップエンコーダでは、ＭＰＥＧ符号化より大幅に低負荷である符号化技術を用いてこの動画像データを符号化圧縮する（ステップＳ２２）。
【００３４】
図４はモビクリップエンコーダにおける符号化処理を説明するフロー図である。
【００３５】
まず、連続する動画像における最初の画像を取り込む（ステップＳ２２０）。次いで、基準画像を参照せずに、イントラモード等の一般的な圧縮方法でその最初の画像を圧縮する（ステップＳ２２１）。
【００３６】
次いで、連続する動画像の次の画像を取り込み（ステップＳ２２２）、この処理対象の画像を縦方向にＨ画素、幅方向にＬ画素の複数のブロックに切り出す（ステップＳ２２３）。ここで、Ｈは処理対象の画像を複数行に分割するための数値であり、２の乗数が好ましい（例えば、５１２行画像では１６）。Ｌは処理対象の画像を複数列に分割するための数値であり、２の乗数が好ましい（例えば、７６８列画像では１６）。処理対象の画像における切り出したブロックを選択ブロックリストに登録する（ステップＳ２２４）。この選択ブロックリストは初期状態では空になっている。
【００３７】
次いで、選択ブロックリストにブロックが存在するか否かを判別し（ステップＳ２２５）、存在しない場合は、連続する動画像の次の画像が存在するか否かを判別する（ステップＳ２２６）。次の画像が存在する場合は、ステップＳ２２２の処理に戻る。次の画像が存在しない場合は、この符号化処理を終了する。
【００３８】
ステップＳ２２５の処理において選択ブロックリストにブロックが存在すると判別した場合は、その処理対象ブロックを先行画像（基準画像）の同一画素サイズのフローティング・ブロック（領域）と比較する（ステップＳ２２７）。必要に応じて画像変換処理（例えば、水平及び垂直の対称性、輝度の大小、全画像変換の回転及び合成等）と共に、処理対象ブロックに最も類似する基準画像の１つの領域を検出して、その領域とその処理対象ブロック間の類似性をより高めるようにすることもできる。
【００３９】
処理対象ブロックと領域とが最も類似していることを判定するための比較基準値は極めて多く、例えばＭＰＥＧでは２つのブロックを比較するために用いるべき方法を指定できない。当業者であれば問題解決の選択肢があり、最も用いられているものは平均平方差法（ＭＳＤ）及び平均絶対差法（ＭＡＤ）である。
【００４０】
実際には、画像変換後に最も類似する領域を見つけるために、最も類似するブロック又は最も近似するブロックを見つけるべく多数の画像をサーチすることになるが、好ましくは、（１）先行画像におけるサーチ、（２）最後のイントラ画像におけるサーチ、（３）最後のイントラ画像と次のイントラ画像におけるサーチのいずれかのサーチ方法が用いられる。
【００４１】
次いで、最も類似する領域が処理対象ブロックに関する所定の類似性基準値に対応しているか否かを判別する（ステップＳ２２８）。この場合、処理対象ブロックのサイズによって所定の基準値を決めることが望ましい（サイズは反復処理において変化する）。
【００４２】
ステップＳ２２８の処理において類似性が所定の基準値に対応すると判別した場合、処理対象ブロックの空間座標を最も類似する領域の空間座標に移動させる動きベクトルを決定し（ステップＳ２２９）、保存する（ステップＳ２３０）。ここで保存されるのは、続くデータが動きベクトルによって記述されたブロックに関連があるというデータ、ステップＳ２２７の処理において決定された画像変形のデータ、最も類似する領域が関係する画像のデータ、ステップＳ２２９の処理において決定された運動ベクトルのデータ等である。
【００４３】
次いで、この処理対象ブロックに続くブロックがあればこれを選択ブロックリストに追加して、ステップＳ２２５の処理に戻る（ステップＳ２３１）。
【００４４】
ステップＳ２２８の処理において類似性が所定の基準値に対応していないと判別した場合、その処理対象ブロックの高さ及び幅が所定の最小値（例えば、１対１、もしくは、１対２）に等しいか否かを検出することによって、当該ブロックが所定の最小サイズ（例えば、１×１画素又は１×２画素）であるかどうかを判定する（ステップＳ２３２）。
【００４５】
その処理対象ブロックが所定の最小サイズであれば、基準画像を参照しない符号化方法を用いてこの最小サイズブロックを圧縮し（ステップＳ２３３）、その結果を保存する（ステップＳ２３４）。ここで保存するデータは、そのデータが最小ブロックに関連することを表す情報及び圧縮した動画像データである。
【００４６】
次いで、この処理対象ブロックに続くブロックがあればこれを選択ブロックリストに追加して、ステップＳ２２５の処理に戻る（ステップＳ２３５）。
【００４７】
ステップＳ２３２の処理において処理対象ブロックが所定の最小サイズではない場合は、その処理対象ブロックを垂直区分に沿って等しいサイズの左右２つのブロックに分割し（ステップＳ２３６）、処理対象ブロックを水平区分に沿って等しいサイズの上下２つのブロックに分割する（ステップＳ２３７）。このように、類似性を判定するために２種類の分割ブロックを生成し、所定の基準値（例えば、絶対値の合計及び所期の画像変換が行われた場合の最適領域とブロック間の差）、並びに連続する画像の領域を踏まえて垂直及び水平の切り出し画像のそれぞれを考慮し、分割されたブロックの全体の類似性に従って全体の最良の類似性を作り出す、つまり、最適化された（垂直又は水平の）分割ブロックを選び出す（ステップＳ２３８）。
【００４８】
次いで、続くデータが２つの分割されたブロックに関係があることを示す情報、及びブロックが垂直又は水平に分割されたかどうかを示す情報が保存される（ステップＳ２３９）。
【００４９】
次いで、この分割したブロックを選択ブロックリストに追加して、ステップＳ２２５の処理に戻る（ステップＳ２４０）。
【００５０】
このようなブロックの分割により、効率的な方法で、先行する画像に十分な類似性のある領域のない（統計的には数が少ない）所謂「変形」ブロックを分離することができる。残りの多くの画像部分を動き予測のみによって符号化し、これによって圧縮率を高め、かつ復号処理速度を速めることができる。
【００５１】
図３のステップＳ２２における、モビクリップエンコーダによる動画像データの符号化圧縮の後、その動画像データがプライベート形式でアップロードされたものであるか否かを判別する（ステップＳ２３）。
【００５２】
プライベート形式であると判別した場合は、その圧縮された動画像データをプライベート用ストレージ１０ｂに記憶させ（ステップＳ２４）、送信者から提供された送付先アドレスへ動画像データが到着している旨のメールを発信する（ステップＳ２５）。ポータルサイト１０は、プライベート用ストレージ１０ｂに記憶されている圧縮動画像データを受信者の携帯端末１３がダウンロードした時点から一定期間（例えば数日間）保存した後にこれを自動的に消去する（ステップＳ２６）。
【００５３】
ステップＳ２３においてパブリック形式であると判別した場合は、その圧縮された動画像データをカテゴリ別に仕分けした（ステップＳ２７）後、著作権を侵害する可能性が有りか否かを判別する（ステップＳ２８）。
【００５４】
著作権侵害の可能性無しと判定した場合は、その圧縮された動画像データをカテゴリ毎にパブリック用ストレージ１０ｃに記憶する（ステップＳ２９）。ステップＳ２８の処理において、著作権侵害の可能性有りと判別した場合はその圧縮された動画像データを破棄する（ステップＳ３０）。ポータルサイト１０は、パブリック用ストレージ１０ｃに記憶されている圧縮動画像データをアップロードした時点から一定期間（例えば３週間）保存した後にこれを自動的に消去する（ステップＳ３１）。
【００５５】
なお、法人ユーザのコンピュータ端末１２からアップロードされた動画像データのポータルサイト１０における処理動作は、個人ユーザの端末１１からアップローダされたパブリック形式の動画像データに対する処理と基本的には類似しているため、説明を省略する。
【００５６】
図５は個人ユーザが動画像データをアップロードする場合の操作手順を説明するフロー図であり、図６はプライベート形式でアップロードする場合の個人ユーザの携帯電話のスクリーンを説明する図である。以下、これらの図を用いて、個人ユーザのアップロード操作手順を説明する。
【００５７】
図５に示すように、まず、携帯電話等の携帯端末又はコンピュータ端末１１によってポータルサイト１０にアクセスして接続を確立する（ステップＳ５０）。次いで、初回においては、ポータルサイト１０からアップロード用のアカウント契約を結び、これにより個人アカウントを取得する（ステップＳ５１）。この個人アカウントは、例えば、△△△＠ｍｏｂｉｃｌｉｐ．ｊｐのようなものであり、利用に関する規約に合意した上で、月額制等の定額で契約する。
【００５８】
次いで、撮影により動画像データを得るかあらかじめ取得している動画像データを呼び出し（ステップＳ５２）、ポータルサイト１０にアクセスして接続を確立する（ステップＳ５３）。なお、アップロード可能なデータ形式は、デジタルデータであり、携帯電話、ビデオカメラ、デジタルカメラ等で撮影された動画像（音声を含む）データである。ここで、ポータルサイト１０に接続した個人ユーザは、アップロードする形式、即ち特定の個人ユーザ宛の動画像を対象とするプライベート形式か不特定多数の個人ユーザへ公開する動画像を対象とするパブリック形式かを選択する（ステップＳ５４）。
【００５９】
プライベート形式を選択してアップロードする場合（ステップＳ５５）、個人ユーザは、図６に示すように、その動画像の送付先（複数の送付先も可能）を宛先として、メッセージを書き込んでメールを作成し、動画像ファイルを添付して送信をクリックし、アップロードする（ステップＳ５６）。この動画像ファイルは指定された宛先以外には送付されない。
【００６０】
ポータルサイト１０にアップロードされた動画像データは、前述したように、エンコーダ用サーバ１０ａに自動的に転送され（ステップＳ５７）、モビクリップエンコーダで圧縮される（ステップＳ５８）。圧縮された動画像データは、プライベート用ストレージ１０ｂに記憶され（ステップＳ５９）、そのメールの宛先へ動画像データが到着している旨のメールが出される（ステップＳ６０）。前述したように、プライベート用ストレージ１０ｂに記憶されているこの動画像データは、受信者がダウンロードした後の一定期間後に消去される（ステップＳ６１）。
【００６１】
パブリック形式を選択してアップロードする場合（ステップＳ６２）、個人ユーザは、その動画像のカテゴリを選び送信をクリックする（ステップＳ６３）。選ぶカテゴリとしては、例えば「旅行」、「自然」、「ペット」、「ダンス」及び「エンターテイメント」等がある。この操作により、その動画像データがアップロードされる（ステップＳ６４）。
【００６２】
ポータルサイト１０にアップロードされた動画像データは、前述したように、エンコーダ用サーバ１０ａに自動的に転送され、モビクリップエンコーダで圧縮される（ステップＳ６５）。圧縮された動画像データについては、個人ユーザからのものである場合、著作権を侵害する可能性が有るか無いかを判定される（ステップＳ６６）。著作権侵害の可能性無しと判定した場合は、その圧縮された動画像データは、カテゴリ毎に分けてパブリック用ストレージ１０ｃに記憶される（ステップＳ６７）。前述したように、パブリック用ストレージ１０ｃに記憶されているこの動画像データは、アップロードされた後の一定期間後に消去される（ステップＳ６８）。
【００６３】
図７は個人ユーザが動画像データをダウンロードする場合の操作手順を説明するフロー図であり、図８はダウンロードする場合の個人ユーザの携帯電話のスクリーンを説明する図であり、図９は携帯電話等の携帯端末１３にあらかじめ組み込まれているモビクリッププレーヤの画面を説明する図である。以下、これらの図を用いて、個人ユーザのダウンロード操作手順を説明する。
【００６４】
図７に示すように、まず、携帯電話等の携帯端末１３によってポータルサイト１０にアクセスして接続を確立する（ステップＳ７０）。次いで、初回においては、ポータルサイト１０からダウンロード用のアカウント契約を結び、これにより個人アカウントを取得する（ステップＳ７１）。この個人アカウントは、例えば、△△△＠ｍｏｂｉｃｌｉｐ．ｊｐのようなものであり、利用に関する規約に合意した上で、月額制等の定額で契約する。
【００６５】
動画像ファイルが添付されたメールを受信した場合は、プライベート形式のダウンロードとなる（ステップＳ７２）。個人ユーザ（受信者）が、図８に示す携帯端末１３のそのメールの動画像ファイルをクリックする（ステップＳ７３）と、ポータルサイト１０にアクセスがなされ、プライベート用ストレージ１０ｂに記憶されているこの受信者宛の圧縮された動画像ファイルがこの携帯端末１３にダウンロードされる（ステップＳ７４）。
【００６６】
ダウンロードの終了と共に、図９（Ａ）又は（Ｂ）に示すような動画像データ用のモビクリッププレーヤが携帯電話１３のスクリーン上にポップアップし、受信者がこれを操作することによってダウンロードされた圧縮動画像データがモビクリップデコーダによって復号されて、視聴可能となり（ステップＳ７５）、視聴が実際に行われる（ステップＳ７６）。なお、図９（Ａ）はスクリーンが縦長の場合、（Ｂ）はスクリーンが横長の場合であり、各アイコンは巻き戻し及び早送りボタン１、再生ボタン２、停止ボタン３、巻き戻しボタン４、早送りボタン５、ミュートボタン６、音量ボタン７、ウィンドウを閉じるボタン８の機能を有している。
【００６７】
図１０はモビクリップデコーダにおける復号処理を説明するフロー図である。
【００６８】
まず、イントラ画像（ビデオストリーム画像において他の画像を参照しないでエンコードされた画像）の復号を行う（ステップＳ７５０）。次いで、基準画像（この場合、イントラ画像）に続く画像に関してデータの形式を含めたブロックの記憶情報を読み出して、そのブロックの符号化状態を判別する（ステップＳ７５１）。
【００６９】
基準画像に関する動きベクトルを求めて符号化した場合はステップＳ７５２〜Ｓ７５４の処理系が機能し、最小サイズブロックとして符号化した場合はステップＳ７５５〜Ｓ７５６の処理系が機能し、ブロックを分割して符号化した場合はステップＳ７５７〜Ｓ７５８の処理系が機能する。
【００７０】
動きベクトルに関する符号化であると判別された場合は、動きベクトルを読み出して、このベクトルでビデオストリーム画像の他の画像に最も類似する領域を位置付け（ステップＳ７５２）、必要に応じて、符号化時のステップＳ２２７（図４）で行われた所定の画像変換を適用し（ステップＳ７５３）、（画像変換できる）最も類似する領域を複写して復号ブロックを作成する（ステップＳ７５４）。
【００７１】
最小サイズブロックに関する符号化であると判別された場合は、復号すべきブロックを読み出し（ステップＳ７５５）、読み出されたブロックを基準画像を参照しない公知の復号技術で復号して復号ブロックを作り出す（ステップＳ７５６）。
【００７２】
ブロックの分割に関する符号化であると判別された場合は、符号化時のステップＳ２３８（図４）で行われた最適化された（垂直又は水平の）分割ブロックの選択情報を読み出し（ステップＳ７５７）、選択された２つのブロックを復号すべきブロックとし（ステップＳ７５８）、ステップＳ７５１に戻って同様の処理を繰り返す。復号すべきブロック又は画像が残っている限り、以上の処理が繰り返して実行される。
【００７３】
図７のステップＳ７１における処理の後、パブリック形式の動画像を視聴使用とする場合、受信者は、まず携帯電話１３をポータルサイト１０にアクセスさせて接続させる（ステップＳ７７）。
【００７４】
これにより、携帯電話１３のスクリーンには、このポータルサイト１０の提供するコンテンツのカテゴリが図１１に示すごとく表示され、受信者は所望のカテゴリを選んでクリックする（ステップＳ７８）。例えば、パブリック形式の動画像を選ぶ場合に、受信者は「楽しむ」における「映画」、「音楽」又は「モビクリップ」のカテゴリを選んでクリックする。「映画」のカテゴリを選んだ場合は図１２に示すごときコンテンツが表示され、「音楽」のカテゴリを選んだ場合は図１３に示すごときコンテンツが表示され、「モビクリップ」のカテゴリを選んだ場合は図１４に示すごときコンテンツが表示される。
【００７５】
次いで、受信者が、見たい動画像ファイルを選んでクリックする（ステップＳ７９）ことにより、選んだ動画像ファイルが携帯電話１３にダウンロードされる（ステップＳ８０）。
【００７６】
ダウンロードの終了と共に、前述したような動画像データ用のモビクリッププレーヤが携帯電話１３のスクリーン上にポップアップし、受信者がこれを操作することによってダウンロードされた圧縮動画像データがモビクリップデコーダによって復号されて、視聴可能となり（ステップＳ８１）、視聴が実際に行われる（ステップＳ８２）。
【００７７】
図１５は法人ユーザが動画像データをアップロードする場合の操作手順を説明するフロー図である。以下、これらの図を用いて、法人ユーザのアップロード操作手順を説明する。
【００７８】
同図に示すように、法人ユーザは、まず、ポータルサイト１０とアカウント契約を結び、これにより法人用アカウントを取得する（ステップＳ１５０）。この法人用アカウントは、例えば月額制又は年額制である。
【００７９】
次いで、法人ユーザの意向によって決まるパブリック向けの動画像又は音声コンテンツ、例えばＣＭ、プロモーション用音楽ビデオクリップ、映画の予告編等を広告として提供し（ステップＳ１５１）、その動画像又は音声データを法人用のポータルサイトにアップロードしておく（ステップＳ１５２）。アップロードされた動画像データはサーバ１０ａのモビクリップエンコーダによって圧縮され（ステップＳ１５３）、パブリックの法人用ストレージ１０ｄに転送され（ステップＳ１５４）、カテゴリ別に分けられてダウンロード可能に記憶される（ステップＳ１５５）。前述したように、法人用ストレージ１０ｄに記憶されているこの動画像データは、アップロードされた後の一定期間後に消去される（ステップＳ１５６）。
【００８０】
なお、本実施形態で用いたモビクリップエンコーダ及びモビクリップデコーダ（モビクリップコーデック）による符号化圧縮技術は、以下の特徴点を有している、
（Ａ）全てのデジタルビデオ（例えばＡＶＩ、ＡＳＦ、ＤｉｖＸ、ＭＯＶ、ＭＰＥＧ、ＲＥＡＬ、ＶＯＢ、ＷＭＶ）におけるフォーマットから変換可能である、（Ｂ）モビクリップデコーダを備えたプレーヤはポーズ、先送り、巻き戻し等のＤＶＤと同等の再生機能を有することができる、
（Ｃ）再生する際のフレームレートは３０ｆｐｓ（ｆｌａｍｅ ｐｅｒ ｓｅｃｏｎｄ）である、
（Ｄ）色数は１６００万色である、
（Ｅ）圧縮比は１００：１〜２００：１、即ち、動画像を１００分の１から２００分の１に圧縮することができる、
（Ｆ）データレートは音声データを含めて１４５ｋｂｐｓに対して３０ｆｐｓである、
（Ｇ）２時間のオリジナルサイズの動画が９０ＭＢに収録可能である、
（Ｈ）動画像のクオリティに対する平均のデータレートは７０ｋｂｐｓである、
（Ｉ）２時間のオリジナルサイズの動画像を収録するための最低限のストレージは６４ＭＢである、
（Ｊ）Ｈ．２６４（ワンセグ対応）と同等の圧縮率を持ちつつ、高いフレームレートを維持することができ、動画像再生時はＨ．２６４よりもＣＰＵの負荷が低いためバッテリを長持ちさせることができ、６時間３０分の再生が可能である、
（Ｋ）Ｈ．２６４にとして動画像再生時にブロックノイズが出にくく、高画質である。
【００８１】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【図面の簡単な説明】
【００８２】
【図１】本発明の一実施形態として、ＳＮＳを行うための携帯端末用動画像転送システムの構成を概略的に示す図である。
【図２】図１の携帯端末用動画像転送システムにおける全体的な動作を説明するフロー図である。
【図３】個人ユーザの端末からアップロードされた動画像データのポータルサイトにおける処理動作をより詳しく説明するフロー図である。
【図４】モビクリップエンコーダにおける符号化処理を説明するフロー図である。
【図５】個人ユーザが動画像データをアップロードする場合の操作手順を説明するフロー図である。
【図６】プライベート形式でアップロードする場合の個人ユーザの携帯電話のスクリーンを説明する図である。
【図７】個人ユーザが動画像データをダウンロードする場合の操作手順を説明するフロー図である。
【図８】ダウンロードする場合の個人ユーザの携帯電話のスクリーンを説明する図である。
【図９】携帯電話等の携帯端末にあらかじめ組み込まれているモビクリッププレーヤの画面を説明する図である。
【図１０】モビクリップデコーダにおける復号処理を説明するフロー図である。
【図１１】ポータルサイトの提供するコンテンツのカテゴリを選択する場合の携帯電話のスクリーンを説明する図である。
【図１２】映画のカテゴリを選択した場合の携帯電話のスクリーンを説明する図である。
【図１３】音楽のカテゴリを選択した場合の携帯電話のスクリーンを説明する図である。
【図１４】モビクリップのカテゴリを選択した場合の携帯電話のスクリーンを説明する図である。
【図１５】法人ユーザが動画像データをアップロードする場合の操作手順を説明するフロー図である。
【符号の説明】
【００８３】
１０  ポータルサイト
１０ａ  モビクリップエンコーダを有するサーバ
１０ｂ  プライベート用ストレージ
１０ｃ  パブリック用ストレージ
１０ｄ  法人用ストレージ
１１  個人ユーザの携帯端末又はコンピュータ端末
１２  法人ユーザのコンピュータ端末
１３  個人ユーザ（受信者）の携帯端末
【図１】
2008219224.tif 000003
【図２】
2008219224.tif 000004
【図３】
2008219224.tif 000005
【図４】
2008219224.tif 000006
【図５】
2008219224.tif 000007
【図６】
2008219224.tif 000008
【図７】
2008219224.tif 000009
【図８】
2008219224.tif 000010
【図９】
2008219224.tif 000011
【図１０】
2008219224.tif 000012
【図１１】
2008219224.tif 000013
【図１２】
2008219224.tif 000014
【図１３】
2008219224.tif 000015
【図１４】
2008219224.tif 000016
【図１５】
2008219224.tif 000017